(57)【要約】【目的】フイルム溶着用の、横長なシールバーの温度均一化を図る。【構成】製袋充填包装機において、包装用チューブフイルムを各被包装物間で隔離シールするための、シールバー２５両側面の横長な溝３３に、絶縁シートを介して誘導コイル３４をそれぞれ設置する。前記誘導コイル３４を連結する電磁誘導加熱装置は、３相電源から変圧器及び整流器を介して直流電圧を供給すると、この電圧は中間回路におて平滑化され、次いで高周波トランジスタ変換機によってパルス交流電圧に変換し、変換回路から誘導コイルに導かれ、同誘導回路と変換回路とで共振回路を形成する公知の電気機器で、かかる電磁誘導加熱装置の電気回路と繋がる誘導コイル３４は、その共振により鋼鉄製シールバー２５が発熱するように機能する。そしてシール台２６とで挟圧するチューブフイルム１８を溶着するのである。【選択図】　図１
2004010132.tif 000002
【特許請求の範囲】
【請求項１】
長手方向に沿って移動するフイルムを、シールバーとシール台とで挟圧して溶着する包材のシール機構であって、前記シールバーの加熱源として、該シールバーの長手方向に沿って電磁誘導加熱式の誘導コイルを配置して構成した装置。
【請求項２】
内部に等間隔に配置した各被包装物の間でチューブフイルムを、シールバーとシール台とで挟圧して溶着するごとくした請求項１に記載の装置。
【請求項３】
２枚重ね、或いは２つ折りしたチューブフイルムの側縁を、シールバーとシール台とで挟圧して溶着するごとくした請求項１に記載の装置。
【請求項４】
誘導コイルを、シールバーとシール台それぞれに配置した請求項２〜３それぞれに記載の装置。
【発明の詳細な説明】
【０００１】
【発明の属する技術分野】
本発明は、帯状フイルムを長手方向に沿って移動すると共に、同フイルムを溶着して製袋化するためのフイルム溶着装置に関する。
【０００２】
【発明が解決しようとする課題】
例えば製袋充填包装機においてプラステイック製帯状フイルムを長手方向に移送しながらチユーブ化すると共に、同チューブフイルム内の各被包装物を隔離溶着するシール装置は、図６に示すごとく金属シールバー１の内部に、コイルニクロム線２からなるパイプヒータを設置し、当該ニクロム線２への通電により前記シールバー１を輻射熱で加熱する構造である。しかしコイルニクロム線２からの発生熱は均等性を欠くので、シールバー１に温度むらが発生する欠点がある。コイルニクロム線２を部分的に引き延ばし、また部分的に収縮してシールバー全体の温度配分を均等化する方法は非能率という問題があるので、前記パイプヒータ２と平行に、シールバー内部に作動液を封入したパイプ３を埋み温度むらを無くすことを、実公昭５８−２６８８１号公報は教示する。要するに前記パイプ３に封入する作動液は、ヒータ２の熱により蒸発し、その凝縮性ガスの熱交換により温度を平均的に分布するものであるが、耐久性において不経済な面は免れないという問題がある。
【０００３】
【その解決手段】
そこで本発明は上記の問題を解決するために、長手方向に沿って移動するフイルムを、シールバーとシール台とで挟圧して溶着する包材のシール機構であって、前記シールバーの加熱源として、前記シールバーの長手方向に沿って電磁誘導加熱式の誘導コイルを配置して構成する。
【０００４】
シールバーに設置する電磁誘導加熱式の誘導コイルは、誘導電気回路の共振により鋼鉄などの磁性金属製のシールバーを加熱し、フイルムを溶着するが、誘導電気回路の共振は構造的にシールバーに偏り的な熱発生がなく、同シールバーは均等に発熱することになるから、熱を均等化するための特別な調整、または付属装置を用いる必要がないという経済性がある。
【０００５】
【発明の実施形態】
図２に示す製袋充填包装機は、フオーマ１０後方の一対の挟持ベルト１１によって帯状フイルム１２を前記フオーマ１０を通して引き出すことにより、フオーマは前記フイルム１２を連続的に丸めるが、この場合前記フイルム１２の両側合掌縁をセンターシーラ１４が溶着してフイルムをチューブ化するので、フオーマ１０の入口側から供給コンベヤ１５によって前記チューブフイルム内に被包装物１３を等間隔に搬入すると、一対のクロスシーラ１６、１７は前記各被包装物を１個づつ隔離するようにチューブフイルム１８をクロス状に密封する。
【０００６】
前記図２の、クロスシーラ部分を示す図３は、包装機の両側に平行設置した２本の棒状ガイド２０に対し、シールバーの支持枠２１をスライド自在に支持すると共に、同支持枠２１の両側の壁に縦長に形成するスリツト２２に、上下２本のアルミニュームなどの非鉄金属性の架材２３、２４をスライド自在に支持し、上部架材２３の下に鋼鉄製のシールバー２５を、また下部架材２４の上に鋼鉄製のシール台２６をそれぞれ支持する。また前記支持枠２１の壁から外に突き出る軸２７に、ベルクランク２８を固定し、該ベルクランク２８の両端と、前記両架材２３、２４の両端とをそれぞれリンク２９、３０を介して連結する。
【０００７】
前記軸２７は、内部に設置するサーボモータにより正逆方向に反転し、シールバー２５と、シール台２６とを接近、また離反するように操作する。一方クランク機構によって動かされる支持枠２１はガイド２０に沿って往復動するので、この２種類の運動合成によりシールバー２３及びシール台２４は、点線矢印３１、３２が描く軌道、つまりブロックモーションでもって作動し、両者が接近したエリアでフイルム、はシールバー２５及びシール台２６の挟圧作用を受けるのである。
【０００８】
図４は２分割したシール機構の半領域の正面図であり、片側の支持枠２１に支持する上下両架材２３、２４の両端は、前記支持枠２１に固定して立設する２本の丸棒ガイド３３に沿って上下にスライド自在であり、シールバー２５の側面には、その長手方向に沿って横長に変形する渦巻き状の誘導コイル３０を設置する。
【０００９】
より詳しくは図１に示すごとく、シールバー２５両側面の横長な溝３３に、絶縁シートを介して誘導コイル３４をそれぞれ設置したもので、前記誘導コイル３４を連結する電磁誘導加熱装置は、３相電源から変圧器及び整流器を介して直流電圧を供給すると、この電圧は中間回路におて平滑化され、次いで高周波トランジスタ変換機によってパルス交流電圧に変換し、変換回路から誘導コイルに導かれ、同誘導回路と変換回路とで共振回路を形成する公知の電気機器で、かかる電磁誘導加熱装置の電気回路と繋がる誘導コイル３４は、その共振により鋼鉄製シールバー２５が発熱するように機能する。そしてシール台２６とで挟圧するチューブフイルム１８を溶着するのである。この場合スピンドル３６を介して切断歯３７を、シール台２６に形成する溝３８に押し込むことにより、フイルム溶着部を切断することができる。なおシール台２６にも誘導コイルを設置して溶着効率を高めることが可能である。
【００１０】
上記のチューブフイルムのクロスシールだけではなく、図５に示す２つ折りしたフイルム４０、または２枚重ねしたフイルムそれぞれの側縁を溶着するシールバー４２に、誘導コイル４１を設置して発熱源とすることが可能てある。
【図面の簡単な説明】
【図１】シールローラの断面図
【図２】製袋充填包装機の側面図
【図３】シールバー支持枠の側面図
【図４】シール機構の部分的正面図
【図５】前図の断面図
【図６】従来例の説明図
【符号の説明】
１０…フオーマ
１２…帯状フイルム
１３…被包装物
２３…上部架材
２４…下部架材
２５、４２…シールバー
２６…シール台
３３…溝
３４、４１…誘導コイル
２２、２４…非磁性材料による架材
【図１】
2004010132.tif 000003
【図２】
2004010132.tif 000004
【図３】
2004010132.tif 000005
【図４】
2004010132.tif 000006
【図５】
2004010132.tif 000007
【図６】
2004010132.tif 000008